(57)【特許請求の範囲】
【請求項１】
原稿とライセンサの相対的な往復運動により、前記原稿の画像情報を読み取る画像読取装置であって、
可視光および不可視光の発光手段と、
前記可視光により前記原稿を照射して低解像度で前記画像情報を読み取るラフスキャンと、前記可視光により前記原稿を照射して高解像度で前記画像情報を読み取るファインスキャンと、前記不可視光により前記原稿を照射して前記画像情報を読み取る不可視光スキャンの３タイプのスキャンを行うスキャン手段と、
前記ラフスキャンで得られる画像情報に基づいて、前記不可視光スキャンが前記ファインスキャンよりも高速になるように前記不可視光スキャン及び前記ファインスキャンのスキャン速度を決定するスキャン速度決定手段とを備え、
前記スキャン手段は、前記可視光により前記原稿を照射して前記画像情報を読み取るスキャンを前記往復運動の一方向の相対運動により行い、前記不可視光スキャンを前記往復運動の他方向の相対運動により行うことを特徴とする画像読取装置。
【請求項２】
請求項１記載の画像読取装置において、前記不可視光スキャン時の前記ライセンサの出力信号レベルは、前記可視光スキャン時より小さいことを特徴とする画像読取装置。
【請求項３】
請求項１または請求項２記載の画像読取装置において、前記発光手段の分光強度特性は、可視光波長領域の発光強度よりも不可視光波長領域の発光強度の方が大きいことを特徴とする画像読取装置。
【請求項４】
請求項１ないし請求項３のいずれかに記載の画像読取装置において、前記ラインセンサの分光感度特性は、可視光波長領域の感度よりも不可視光波長領域の感度の方が大きいことを特徴とする画像読取装置。
【請求項５】
請求項１ないし請求項４のいずれかに記載の画像読取装置において、前記不可視光スキャンを行わない動作モードを有し、この動作モードを選択可能としたことを特徴とする画像読取装置。
【請求項６】
請求項１ないし請求項５のいずれかに記載の画像読取装置において、前記不可視光は赤外光であることを特徴とする画像読取装置。
【請求項７】
請求項１ないし請求項６のいずれかに記載の画像読取装置において、前記原稿はフィルム原稿であることを特徴とする画像読取装置。
【請求項８】
請求項１ないし請求項６のいずれかに記載の画像読取装置において、前記原稿は透過原稿であることを特徴とする画像読取装置。
【請求項９】
原稿とラインセンサの相対的な往復運動により、前記原稿の画像情報を読み取る画像読取装置における画像読取方法であって、
可視光により前記原稿を照射して低解像度で前記画像情報を読み取るラフスキャンを行うラフスキャンステップと、
前記可視光により前記原稿を照射して高解像度で前記画像情報を読み取るファインスキャンを行うファインスキャンステップと、
不可視光により前記原稿を照射して前記画像情報を読み取る不可視光スキャンを行う不可視光スキャンステップと、
前記ラフスキャンで得られる画像情報に基づいて、前記不可視光スキャンが前記ファインスキャンよりも高速になるように前記不可視光スキャン及び前記ファインスキャンのスキャン速度を決定するスキャン速度決定ステップとを備え、
前記可視光により前記原稿を照射して前記画像情報を読み取るスキャンを前記往復運動の一方向の相対運動により行い、前記不可視光スキャンを前記往復運動の他方向の相対運動により行うことを特徴とする画像読取方法。
【請求項１０】
請求項９に記載の画像読取方法において、前記不可視光は赤外光であることを特徴とする画像読取方法。
【請求項１１】
請求項９または請求項１０に記載の画像読取方法において、前記原稿はフィルム原稿であることを特徴とする画像読取方法。
【請求項１２】
請求項９または請求項１０に記載の画像読取方法において、前記原稿は透過原稿であることを特徴とする画像読取方法。
【請求項１３】
請求項９ないし請求項１２のいずれかに記載の画像読取方法を実現するためのプログラムを格納したことを特徴とする記憶媒体。
【発明の詳細な説明】
【０００１】
【発明の属する技術分野】
本発明は、現像済み写真フィルム等の透明原稿（透過原稿ともいう）や不透過フィルム原稿等の画像を読取る画像読取装置に関するものである。
【０００２】
【従来の技術】
フィルムスキャナの従来例の構成を図１８〜図２０を用いて説明する。
【０００３】
図１８はフィルムスキャナの従来例の要部斜視図、図１９は図１８に示されるフィルムスキャナの概要構成図、図２０は図１８に示されるフィルムスキャナの回路構成を示すブロック図である。
【０００４】
図中、１０１は原稿台として使用されるフィルムキャリッジ、１０２は現像済みのフィルムでありフィルムキャリッジ１０１上に固定されている。１０３は光源となるランプ、１０４はミラー、１０５はレンズ、１０６はＣＣＤ等で構成されるラインセンサであり、ランプ１０３からの光はフィルム１０２を透過し、ミラー１０４で反射されレンズ１０５によりラインセンサ１０６上に結像される。
【０００５】
１０７はフィルムキャリッジ１０１をスキャン（走査）方向（図１８、図１９中の矢印方向）へ移動させるためのモータ、１０８はフィルムキャリッジ１０１の位置を検出するセンサ、１０９はランプ１０３からラインセンサ１０６へ至る光軸、１１０は制御回路、１１１はレンズ１０５を保持するレンズホルダ、１１２はフィルムスキャナの外装ケース、１１３は入出力端子である。
【０００６】
また、ランプ１０３，ラインセンサ１０６，モータ１０７，センサ１０８，入出力端子１１３は制御回路１１０と電気的に接続している。また、制御回路１１０は図２０に示されるようにフィルムスキャナ制御回路，センサ制御回路，モータ制御回路，画像情報処理回路，ランプ制御回路，ラインセンサ制御回路，フィルム濃度検出回路，モータ駆動速度決定回路により構成されている。
【０００７】
次にフィルム１０２の画像情報読取方法について説明する。
【０００８】
まず外部より入出力端子１１３を通してフィルム読取動作の指令が入力されると、フィルムキャリッジ１０１の位置をセンサ１０８とセンサ制御回路により検出し、この情報がフィルムスキャナ制御回路に伝達される。そして、フィルムキャリッジ１０１を所定の待機位置へ待機させるためにモータ制御回路によりモータ１０７を駆動し、フィルムキャリッジ１０１を待機位置へ移動させる。そして、公知の方法によりフイルム濃度検出回路でフイルム１０２の濃度が検出され、この情報にもとずきモータ駆動速度決定回路でスキャンを行うためのモータ１０７の駆動速度が決定される。そして、ランプ制御回路によりランプ１０３が点燈され、先に決定された駆動速度でモータ１０７を回転させスキャン動作が行われる。このスキャン中にラインセンサ１０６より画像情報がラインセンサ制御回路を通し画像情報処理回路へ伝達される。このスキャン動作が終了するとランプ制御回路によりランプ１０３が消燈されると同時に画像情報処理回路で画像情報処理が行われる。そして、入出力端子１１３より画像情報が出力されフィルムスキャナのフィルム画像読取動作が終了する。
【０００９】
また近年、前述のように可視光によりスキャンを行うだけでなく、赤外光により前述と同様なスキャンを行うことによりフィルム上のゴミやフィルムの疵を検出し、可視光によるスキャンの画像情報と重ねあわせて、検出したゴミや疵を画像処理で補正し、ゴミや疵のない画像を提供できるフィルムスキャナが特公平０６−７８９９２号公報等で提案されている。
【００１０】
【発明が解決しようとする課題】
しかしながら、前記従来例では以下の問題があった。
【００１１】
赤外光によるフィルム画像のスキャンを行いフィルム上のゴミやフィルムの疵を検出し、可視光によるスキャンの画像情報と重ねあわせて検出したゴミや疵を画像処理で補正し、フィルム上のゴミや疵の影響がない画像を得ようとすると、可視光によるスキャンと赤外光によるスキャンを行うことが必要となる。このためゴミや疵を補正したフィルム画像を得ることのできるフィルムスキャナは、前記ゴミや疵の補正を行わない従来のフィルムスキャナよりもはるかに長いスキャン時間を必要とする。
【００１２】
本発明は、このような状況のもとでなされたもの、フィルム上のゴミや疵の影響が少ないフィルム画像を短いスキャン時間で得ることができる画像読取装置，画像読取方法，記憶媒体を提供することを目的とするものである。
【００１３】
【課題を解決するための手段】
前記課題を解決するため，本発明では画像読取装置を次の（１）ないし（８）のとおりに構成し、画像読取方法を次の（９）ないし（１２）のとおりに構成し、記憶媒体を次の（１３）のとおりに構成する。
（１）原稿とライセンサの相対的な往復運動により、前記原稿の画像情報を読み取る画像読取装置であって、
可視光および不可視光の発光手段と、
前記可視光により前記原稿を照射して低解像度で前記画像情報を読み取るラフスキャンと、前記可視光により前記原稿を照射して高解像度で前記画像情報を読み取るファインスキャンと、前記不可視光により前記原稿を照射して前記画像情報を読み取る不可視光スキャンの３タイプのスキャンを行うスキャン手段と、
前記ラフスキャンで得られる画像情報に基づいて、前記不可視光スキャンが前記ファインスキャンよりも高速になるように前記不可視光スキャン及び前記ファインスキャンのスキャン速度を決定するスキャン速度決定手段とを備え、
前記スキャン手段は、前記可視光により前記原稿を照射して前記画像情報を読み取るスキャンを前記往復運動の一方向の相対運動により行い、前記不可視光スキャンを前記往復運動の他方向の相対運動により行う画像読取装置。
（２）前記（１）記載の画像読取装置において、前記不可視光スキャン時の前記ライセンサの出力信号レベルは、前記可視光スキャン時より小さい画像読取装置。
（３）前記（１）または（２）記載の画像読取装置において、前記発光手段の分光強度特性は、可視光波長領域の発光強度よりも不可視光波長領域の発光強度の方が大きい画像読取装置。
（４）前記（１）ないし（３）のいずれかに記載の画像読取装置において、前記ラインセンサの分光感度特性は、可視光波長領域の感度よりも不可視光波長領域の感度の方が大きい画像読取装置。
（５）前記（１）ないし（４）のいずれかに記載の画像読取装置において、前記不可視光スキャンを行わない動作モードを有し、この動作モードを選択可能とした画像読取装置。
（６）前記（１）ないし（５）のいずれかに記載の画像読取装置において、前記不可視光は赤外光である画像読取装置。
（７）前記（１）ないし（６）のいずれかに記載の画像読取装置において、前記原稿はフィルム原稿である画像読取装置。
（８）前記（１）ないし（６）のいずれかに記載の画像読取装置において、前記原稿は透過原稿である画像読取装置。
（９）原稿とラインセンサの相対的な往復運動により、前記原稿の画像情報を読み取る画像読取装置における画像読取方法であって、
可視光により前記原稿を照射して低解像度で前記画像情報を読み取るラフスキャンを行うラフスキャンステップと、
前記可視光により前記原稿を照射して高解像度で前記画像情報を読み取るファインスキャンを行うファインスキャンステップと、
不可視光により前記原稿を照射して前記画像情報を読み取る不可視光スキャンを行う不可視光スキャンステップと、
前記ラフスキャンで得られる画像情報に基づいて、前記不可視光スキャンが前記ファインスキャンよりも高速になるように前記不可視光スキャン及び前記ファインスキャンのスキャン速度を決定するスキャン速度決定ステップとを備え、
前記可視光により前記原稿を照射して前記画像情報を読み取るスキャンを前記往復運動の一方向の相対運動により行い、前記不可視光スキャンを前記往復運動の他方向の相対運動により行う画像読取方法。
（１０）前記（９）に記載の画像読取方法において、前記不可視光は赤外光である画像読取方法。
（１１）前記（９）または（１０）に記載の画像読取方法において、前記原稿はフィルム原稿である画像読取方法。
（１２）前記（９）または（１０）に記載の画像読取方法において、前記原稿は透過原稿である画像読取方法。
（１３）前記（９）ないし（１２）のいずれかに記載の画像読取方法を実現するためのプログラムを格納した記憶媒体。
【００２９】
【発明の実施の形態】
以下本発明の実施の形態をフィルムスキャナの実施例により詳しく説明する。なお本発明は、フィルムスキャナ（フィルム画像読取装置）の形に限らず、フィルム画像読取方法の形で、更にこの方法を実現するためのプログラムを格納した記憶媒体の形で同様に実施することができる。
【００３０】
【実施例】
（第１実施例）
本発明の第１実施例を図１〜図６を用いて説明する。
【００３１】
図１は、本発明の第１実施例のである“フィルムスキャナ”の要部斜視図、図２は図１に示されるフィルムスキャナの概要構成図、図３は図１に示されるフィルムスキャナの回路構成を示すブロック図、図４は図１に示されるフィルムスキャナの動作を示すフローチャート、図５はラインセンサの分光感度特性図であり、図中Ｒ，Ｇ，Ｂは可視光の分光感度特性（Ｒ，Ｇ，Ｂはそれぞれラインセンサの赤色，緑色，青色の光波長受光部の分光感度特性）、ＩＲは赤外光の分光感度特性である。図６はランプの発光スペクトル強度分布図である。
【００３２】
図中、１は原稿台として使用されるフィルムキャリッジ、２は現像済みのフィルムでありフィルムキャリッジ１上に固定されている。３は可視光および赤外光の光源となるランプであり可視光波長領域から赤外波長までの発光特性を有する。４はミラー、５はレンズ、６はＣＣＤ等で構成されるラインセンサであり、ランプ３からの光はフィルム２を透過し、ミラー４で反射されレンズ５によりラインセンサ６上に結像される。またラインセンサ６はＲ受光部分，Ｇ受光部分およびＢ受光部分の３部分の受光領域を有しており、それぞれ赤色，緑色，青色の光波長に対して感度を有し、またＲ受光部分，Ｇ受光部分およびＢ受光部分の少なくとも１部分は赤外光に対しても感度を有する。７はフィルムキャリッジ１をスキャン（走査）方向（図１、図２中の矢印方向）へ移動させるためのモータ、８はフィルムキャリッジ１の位置を検出するセンサ、９はランプ３からラインセンサ６へ至る光軸、１０は赤外光をカットするためのフィルタであり光軸９上に出入り自在に保持されている。１１はフィルタ１０を移動させるためのフィルタ用モータ、１２は制御回路、１３はレンズ５を保持するレンズホルダ、１４はフィルムスキャナの外装ケース、１５は入出力端子、１６はフィルム濃度を検出するための濃度センサ、１７はフィルタ１０の位置を検出するフィルタ用センサである。
【００３３】
また、ランプ３，ラインセンサ６，モータ７，センサ８，フィルタ用モータ１１，入出力端子１５，濃度センサ１６，フィルタ用センサ１７は、制御回路１２と電気的に接続している。また、制御回路１２は図３に示されるようにフィルムスキャナ制御回路，センサ制御回路，濃度センサ制御回路，フィルタ用センサ制御回路、モータ制御回路、フィルタ用モータ制御回路、画像情報処理回路、ランプ制御回路，ラインセンサ制御回路，フィルム濃度検出回路，モータ駆動速度決定回路，画像情報記憶回路により構成されている。
【００３４】
次にフィルム２の画像情報読取方法について図４のフローチャートを参照し説明する。
【００３５】
まず外部より入出力端子１５を通してフィルム読取動作の指令が入力されると、フィルムキャリッジ１の位置をセンサ８とセンサ制御回路により検出し、この情報がフィルムスキャナ制御回路に伝達される。そして、フィルムキャリッジ１を所定の待機位置へ待機させるためにモータ制御回路により所定の駆動速度でモータ７を駆動し、フィルムキャリッジ１を待機位置へ移動させる。また、同時にフィルタ１０の位置をフィルタ用センサ１７とフィルタ用センサ制御回路で検出し、この情報がフィルムスキャナ制御回路に伝達される。そして、フィルタ１０を光軸９より待避させるためにフィルタ用モータ制御回路によりフィルタ用モータ１１を駆動しフィルタ１０をその待避位置へ移動させる（Ｓ１参照、以下同様）。そして、濃度センサ１６とフイルム濃度検出回路によりフイルム２の濃度が検出され（Ｓ２）、この情報にもとずきモータ駆動速度決定回路により赤外光でスキャンを行うためのモータ７の駆動速度１と可視光でスキャンを行うためのモータ７の駆動速度２が決定される（Ｓ３）。そして、ランプ制御回路によりランプ３が点燈され（Ｓ４）、先に決定された駆動速度１でモータ制御回路によりモータ７を所定の方向へ回転させ赤外光によるフィルム２の画像情報を得るためのスキャン動作が行われる（Ｓ５）。このスキャン中にラインセンサ６より出力信号（画像情報）がラインセンサ制御回路を通し画像情報処理回路へ伝達され、赤外光の透過状態、つまりフィルム２上の他の大部分の領域より赤外光の透過率が所定値以上に異なるフィルム２上の領域を検出することによりフィルム２上のゴミや疵の範囲が検出される（Ｓ６）。そして、このゴミや疵の範囲情報が画像情報記憶回路へ伝達され記憶される（Ｓ７）。そして、赤外光によるフィルム２の画像情報、つまりゴミや疵の範囲情報を得るためのスキャン動作が終了すると、モータ７を所定の速度で逆転させフィルムキャリッジ１を先に述べた待機位置へ移動させる。また、同時にフィルタ１０の位置をフィルタ用センサ１７とフィルタ用センサ制御回路で検出しながら光軸９を中心とする光束をカバーする位置までフィルタ用モータ制御回路によりフィルタ用モータ１１を駆動しフィルタ１０をそのカバー位置へ移動させる（Ｓ８）。そして、先に決定された駆動速度２でモータ制御回路によりモータ７を赤外光によるスキャンと同じ方向へ回転させ可視光によるフィルム２の画像情報を得るためのスキャン動作が行われる（Ｓ９）。このスキャン中にラインセンサ６より出力信号（画像情報）がラインセンサ制御回路を通し画像情報処理回路へ伝達される。
【００３６】
このスキャン動作が終了するとランプ制御回路によりランプ３が消燈される（Ｓ１０）と同時に画像情報記憶回路よりゴミや疵の範囲情報を画像情報処理回路へ伝達し、ここで可視光によるフィルム２の画像情報のゴミや疵の範囲を補正する画像情報処理が行われる。そして、入出力端子１５より画像情報が出力され（Ｓ１１）フィルムスキャナのフィルム画像読取動作が終了する。
【００３７】
ここで、前述の赤外光によるスキャンはフィルム２の赤外光透過率が他の部分と比べ異なる領域を検出することによりフィルム２上のゴミや疵を検出するためのもので、可視光によるスキャンのように高品位の画像情報を得るためのものではない。つまり赤外光によるスキャンはフィルム２の赤外光透過率が他の部分と比べ異なる領域を検出しゴミや疵の範囲を検出すればよいので、その範囲が検出できれば赤外光スキャン時のラインセンサ６の出力信号レベルは可視光スキャン時よりも小さくてもよい。また赤外光スキャンに比べ可視光スキャンは高品位の画像情報を得るためのものなので可視光スキャンによるラインセンサ６の出力信号レベルの最大値は大きい方がよく、ラインセンサ６は充分な露光量が得られるようなスキャン速度が設定されている。よって赤外光スキャン時には、解像限界１ラインにおける単位時間当たりラインセンサ６の露光量を下げて出力信号レベルを小さくしてあり、赤外光透過率が他の部分と比べ異なる領域を検出できる程度にスキャン速度を大きくしている。このため駆動速度１は駆動速度２よりも大きく設定されており、可視光スキャンよりも赤外光スキャンの方が短時間で行われる。
【００３８】
また、ランプ３が可視光の発光強度に比べ赤外光の発光強度が小さい場合には、ラインセンサ６に例えば図５（図中Ｒ，Ｇ，Ｂは可視光の分光感度特性、ＩＲは赤外光の分光感度特性）に示される分光感度特性を有する赤外光の感度が大きいラインセンサを使用すればよい。
【００３９】
また、ラインセンサ６が可視光の感度に比べ赤外光の感度が小さい場合には、ランプ３に例えば図６に示される発光スペクトル強度分布を有する赤外光の発光強度が大きいランプを使用すればよい。
【００４０】
また、フィルム２上のゴミや疵の範囲情報と、可視光によるフィルム２の画像情報を別々に出力端子１５より出力し、出力端子１５に接続された不図示の機器により可視光によるフィルム２の画像情報のゴミや疵の範囲を補正する画像情報処理を行ってもよい。
【００４１】
また、赤外光によるスキャン動作、つまりゴミや疵の範囲情報を得るためのスキャン動作を行わず、可視光によるフィルム２の画像情報のためのスキャン動作だけを行う動作モードを設け、この動作モードを選択できるようにしてもよい。このようにすれば、ゴミや疵のほとんどないフィルムをスキャンする場合や出力画像のゴミや疵の補正を行う必要のない場合にフィルム２の画像情報のゴミや疵の範囲を補正する画像情報処理を行わずに可視光によるフィルム２の画像情報を得るための画像情報処理にかかる時間を短縮することができるという効果が得られる。
【００４２】
（第２実施例）
本発明の第２実施例である“フィルムスキャナ”を図１〜図３および図５〜図７を用いて説明する。
【００４３】
図１〜図３および図５〜図６は第１実施例と同じなのでその説明を省略する。図７は図１に示されるフィルムスキャナの動作を示すフローチャートである。
【００４４】
また符号も第１実施例と共通なので、その説明を省略する。
【００４５】
本実施例は第１実施例の変形実施例であり、第１実施例と同様の構成のフィルムスキャナにおいて、モータ７によりフィルムキャリッジ１がラインセンサ６に対し往復運動を行うときに、前記往復運動によるヒステリシスが非常に小さい場合等、つまりフィルムキャリッジ１の所定の方向の移動とその逆方向の移動により画像を取り込もうとしたときに、その双方の移動（往復運動の往と復）により得られる画像情報を容易に重ね合わすことができる場合における実施例である。
【００４６】
次にフィルム２の画像情報読取方法について図７のフローチャートを参照し説明する。
【００４７】
まず外部より入出力端子１５を通してフィルム読取動作の指令が入力されるとフィルムキャリッジ１の位置をセンサ８とセンサ制御回路により検出し、この情報がフィルムスキャナ制御回路に伝達される。そして、フィルムキャリッジ１を所定の待機位置へ待機させるためにモータ制御回路によりモータ７を所定の駆動速度で駆動し、フィルムキャリッジ１を待機位置へ移動させる。また、同時にフィルタ１０の位置をフィルタ用センサ１７とフィルタ用センサ制御回路で検出し、この情報がフィルムスキャナ制御回路に伝達される。そして、フィルタ１０を光軸９より待避させるためにフィルタ用モータ制御回路によりフィルタ用モータ１１を駆動しフィルタ１０をその待避位置へ移動させる（Ｓ２１）。そして、濃度センサ１６とフイルム濃度検出回路によりフイルム２の濃度が検出され（Ｓ２２）、この情報にもとずきモータ駆動速度決定回路により赤外光でスキャンを行うためのモータ７の駆動速度１と可視光でスキャンを行うためのモータ７の駆動速度２が決定される（Ｓ２３）。そして、ランプ制御回路によりランプ３が点燈され（Ｓ２４）、先に決定された駆動速度１でモータ制御回路によりモータ７を所定の方向へ回転させ赤外光によるフィルム２の画像情報を得るためのスキャン動作が行われる（Ｓ２５）。このスキャン中にラインセンサ６より出力信号（画像情報）がラインセンサ制御回路を通し画像情報処理回路へ伝達され、赤外光の透過状態、つまりフィルム２上の他の大部分の領域より赤外光の透過率が所定値以上に異なるフィルム２上の領域を検出することによりフィルム２上のゴミや疵の範囲が検出される（Ｓ２６）。そして、このゴミや疵の範囲情報が画像情報記憶回路へ伝達され記憶される（Ｓ２７）。そして、赤外光によるフィルム２の画像情報、つまりゴミや疵の範囲情報を得るためのスキャン動作が終了すると、フィルタ１０の位置をフィルタ用センサ１７とフィルタ用センサ制御回路で検出しながら光軸９を中心とする光束をカバーする位置までフィルタ用モータ制御回路によりフィルタ用モータ１１を駆動しフィルタ１０をそのカバー位置へ移動させる（Ｓ２８）。そして、先に決定された駆動速度２でモータ制御回路によりモータ７を逆の方向へ回転させ可視光によるフィルム２の画像情報を得るためのスキャン動作が行われる（Ｓ２９）。このスキャン中にラインセンサ６より出力信号（画像情報）がラインセンサ制御回路を通し画像情報処理回路へ伝達される。
【００４８】
このスキャン動作が終了するとランプ制御回路によりランプ３が消燈されると同時に画像情報記憶回路よりゴミや疵の範囲情報を画像情報処理回路へ伝達し、ここで可視光によるフィルム２の画像情報のゴミや疵の範囲を補正する画像情報処理が行われる（Ｓ３０）。そして、入出力端子１５より画像情報が出力され（Ｓ３１）フィルムスキャナのフィルム画像読取動作が終了する。
【００４９】
ここで、第１実施例と同様に赤外光によるスキャンはフィルム２の赤外光透過率が他の部分と比べ異なる領域を検出しゴミや疵の範囲を検出すればよいので、その範囲が検出できれば赤外光スキャン時のラインセンサ６の出力信号レベルは可視光スキャン時よりも小さくてもよい。また赤外光スキャンに比べ可視光スキャンは高品位の画像情報を得るためのものなので可視光スキャンによるラインセンサ６の出力信号レベルの最大値は大きい方がよく、ラインセンサ６は充分な露光量が得られるようなスキャン速度が設定されている。よって赤外光スキャン時には解像限界１ラインにおける単位時間当たりラインセンサ６の露光量を下げて出力信号レベルを小さくしてあり、赤外光透過率が他の部分と比べ異なる領域を検出できる程度にスキャン速度を大きくしている。このため駆動速度１は駆動速度２よりも大きく設定されており、可視光スキャンよりも赤外光スキャンの方が短時間で行われる。
【００５０】
また、ランプ３が可視光の発光強度に比べ赤外光の発光強度が小さい場合には、ラインセンサ６に例えば図５（図中Ｒ，Ｇ，Ｂは可視光の分光感度特性、ＩＲは赤外光の分光感度特性）に示される分光感度特性を有する赤外光の感度が大きいラインセンサを使用すればよい。
【００５１】
また、ラインセンサ６が可視光の感度に比べ赤外光の感度が小さい場合には、ランプ３に例えば図６に示される発光スペクトル強度分布を有する赤外光の発光強度が大きいランプを使用すればよい。
【００５２】
また、フィルム２上のゴミや疵の範囲情報と、可視光によるフィルム２の画像情報を別々に出力端子１５より出力し、出力端子１５に接続された不図示の機器により可視光によるフィルム２の画像情報のゴミや疵の範囲を補正する画像情報処理を行ってもよい。
【００５３】
また、赤外光によるスキャン動作、つまりゴミや疵の範囲情報を得るためのスキャン動作を行わず、可視光によるフィルム２の画像情報のためのスキャン動作だけを行う動作モードを設け、この動作モードを選択できるようにしてもよい。このようにすれば、ゴミや疵のほとんどないフィルムをスキャンする場合や出力画像のゴミや疵の補正を行う必要のない場合にフィルム２の画像情報のゴミや疵の範囲を補正する画像情報処理を行わずに可視光によるフィルム２の画像情報を得るための画像情報処理にかかる時間を短縮することができるという効果が得られる。
【００５４】
（第３実施例）
本発明の第３実施例を図８〜図１３を用いて説明する。
【００５５】
図８は第３実施例のフィルムスキャナの要部斜視図、図９は図８に示されるフィルムスキャナの概要構成図、図１０は図８に示されるフィルムスキャナの回路構成を示すブロック図、図１１は図８に示されるフィルムスキャナの動作を示すフローチャート、図１２は本実施例中に使用される物性素子の可視光および赤外光透過状態の分光透過特性図、図１３は本実施例中に使用される物性素子の赤外光不透過状態の分光透過特性図である。
【００５６】
図中、３１は原稿台として使用されるフィルムキャリッジ、３２は現像済みのフィルムでありフィルムキャリッジ３１上に固定されている。３３は可視光および赤外光の光源となるランプであり可視光波長領域から赤外波長までの発光特性を有する。３４はミラー、３５はレンズ、３６はＣＣＤ等で構成されるラインセンサであり、ランプ３３からの光はフィルム３２を透過し、ミラー３４で反射されレンズ３５によりラインセンサ３６上に結像される。またラインセンサ３６はＲ受光部分、Ｇ受光部分およびＢ受光部分の３部分の受光領域を有しており、それぞれ赤色（Ｒ），緑色（Ｇ），青色（Ｂ）の光波長に対して感度を有し、またＲ受光部分，Ｇ受光部分およびＢ受光部分の少なくとも１部分は赤外光（ＩＲ）に対しても感度を有する。３７はフィルムキャリッジ３１をスキャン（走査）方向（図８，図９中の矢印方向）へ移動させるためのモータ、３８はフィルムキャリッジ３１の位置を検出するセンサ、３９はランプ３３からラインセンサ３６へ至る光軸、４０は電気的に可視光や赤外光の透過率を制御することのできるエレクトロ・クロミー（ＥＣ）のような物性素子である。４１は制御回路、４２はレンズ３５を保持するレンズホルダ、４３はフィルムスキャナの外装ケース、４４は入出力端子である。
【００５７】
また、ランプ３３，ラインセンサ３６，モータ３７，センサ３８，物性素子４０，入出力端子４４は制御回路４１と電気的に接続している。また、制御回路４１は図８に示されるように、フィルムスキャナ制御回路，センサ制御回路，物性素子制御回路，モータ制御回路，画像情報処理回路，ランプ制御回路，ラインセンサ制御回路，フィルム濃度検出回路，モータ駆動速度決定回路，画像情報記憶回路により構成されている。
【００５８】
次にフィルム３２の画像情報読取方法について図１１のフローチャートを参照し説明する。
【００５９】
まず外部より入出力端子４４を通してフィルム読取動作の指令が入力されるとフィルムキャリッジ３１の位置をセンサ３８とセンサ制御回路により検出し、この情報がフィルムスキャナ制御回路に伝達される。そして、フィルムキャリッジ３１を所定の待機位置へ待機させるためにモータ制御回路により所定の駆動速度でモータ３７を駆動し、フィルムキャリッジ３１を待機位置へ移動させる。また、同時に物性素子制御回路により物性素子４０の分光透過特性を図１２に示されるような可視光および赤外光の透過状態にする（Ｓ４１）。そして、ランプ制御回路によりランプ３が点燈され（Ｓ４２）、フィルム３２の映像範囲を所定の速度でフィルム面方向へ走査するためにモータ制御回路によりモータ３７を所定の速度で所定の方向へ回転させ可視光および赤外光によるフィルム３２の画像情報を得るためのラフスキャン動作が行われる（Ｓ４３）。このラフスキャン中にラインセンサ３６より出力信号（画像情報）がラインセンサ制御回路を通し画像情報処理回路へ伝達され、そしてこの情報に基ずきフィルム濃度検出回路によりフィルム３２の可視光および赤外光の光透過率つまりフィルム濃度が検出される（Ｓ４４）。フィルムキャリッジ３１がその待機位置へ戻されラフスキャン動作が終了すると検出されたフィルム全域のフィルム濃度にもとずきそれぞれ適正な光量の画像が得られるようにモータ駆動速度決定回路により赤外光でスキャンを行うためのモータ３７の駆動速度１と可視光でファインスキャンを行うためのモータ３７の駆動速度２が決定される（Ｓ４５）。そして、フィルム３２の映像範囲をフィルム面方向へ走査するためにモータ制御回路によりモータ３７を先に決定された駆動速度１で所定の方向へ回転させ赤外光によるフィルム３２の画像情報を得るためのスキャン動作が行われる（Ｓ４６）。このスキャン中にラインセンサ３６より出力信号（画像情報）がラインセンサ制御回路を通し画像情報処理回路へ伝達され、赤外光の透過状態、つまりフィルム３２上の他の大部分の領域より赤外光の透過率が所定値以上に異なるフィルム３２上の領域を検出することによりフィルム３２上のゴミや疵の範囲が検出される（Ｓ４７）。そして、このゴミや疵の範囲情報が画像情報記憶回路へ伝達され記憶される（Ｓ４８）。そして、赤外光によるフィルム３２の画像情報、つまりゴミや疵の範囲情報を得るためのスキャン動作を得るためのスキャン動作が終了すると、物性素子制御回路により物性素子４０の分光透過特性を図１３に示されるような赤外光不透過状態にする（Ｓ４９）。そして先に決定された駆動速度２でモータ制御回路によりモータ３７を逆転させてファインスキャン動作が行われる（Ｓ５０）。このファインスキャン中にラインセンサ３６より出力信号（画像情報）がラインセンサ制御回路を通し画像情報処理回路へ伝達される。そして、ファインスキャンのための画像読取動作が終了し所定の駆動速度でモータ制御回路によりモータ３７を回転させ、フィルムキャリッジ３１がその待機位置へ戻され（Ｓ５１）ファインスキャン動作が終了するとランプ制御回路によりランプ３３が消燈されると同時に画像情報記憶回路よりゴミや疵の範囲情報を画像情報処理回路へ伝達し、ここでファインスキャン（可視光）によるフィルム３２の画像情報のゴミや疵の範囲を補正する画像情報処理が行われる（Ｓ５２）。そして、入出力端子４４より画像情報が出力され（Ｓ５３）フィルムスキャナのフィルム画像読取動作が終了する。
【００６０】
ここで、第１実施例と同様に赤外光によるスキャンはフィルム２の赤外光透過率が他の部分と比べ異なる領域を検出しゴミや疵の範囲を検出すればよいので、その範囲が検出できれば赤外光スキャン時のラインセンサ６の出力信号レベルは可視光によるファインスキャン時よりも小さくてもよい。また赤外光スキャンに比べファインスキャンは高品位の画像情報を得るためのものなので可視光スキャンによるラインセンサ６の出力信号レベルの最大値は大きい方がよく、ラインセンサ６は充分な露光量が得られるようなスキャン速度が設定されている。よって赤外光スキャン時には解像限界１ラインにおける単位時間当たりラインセンサ６の露光量を下げて出力信号レベルを小さくしてあり、赤外光透過率が他の部分と比べ異なる領域を検出できる程度にスキャン速度を大きくしている。このため駆動速度１は駆動速度２よりも大きく設定されており、可視光スキャンよりも赤外光スキャンの方が短時間で行われる。
【００６１】
また、ランプ３が可視光の発光強度に比べ赤外光の発光強度が小さい場合には、ラインセンサ６に例えば図５（図中Ｒ，Ｇ，Ｂは可視光の分光感度特性、ＩＲは赤外光の分光感度特性）に示される分光感度特性を有する赤外光の感度が大きいラインセンサを使用すればよい。
【００６２】
また、ラインセンサ３６が可視光の感度に比べ赤外光の感度が小さい場合には、ランプ３３に例えば図６に示される発光スペクトル強度分布を有する赤外光の発光強度が大きいランプを使用すればよい。
【００６３】
また、フィルム３２上のゴミや疵の範囲情報と、可視光によるフィルム３２の画像情報を別々に出力端子４４より出力し、出力端子４４に接続された不図示の機器により可視光によるフィルム３２の画像情報のゴミや疵の範囲を補正する画像情報処理を行ってもよい。
【００６４】
また、赤外光によるフィルム３２の画像情報を得るためのスキャン動作をファインスキャン動作時のフィルムキャリッジ３１の往復動作で行わずに、ラフスキャン動作時のフィルムキャリッジ３１の往復動作で行ってもよい。またこのときラフスキャン動作の後に赤外光によるフィルム３２の画像情報を得るためのスキャン動作が行われる。
【００６５】
また、赤外光によるスキャン動作を行わず、可視光によるフィルム３２の画像情報のためのスキャン動作だけを行う動作モードを設け、この動作モードを選択できるようにしてもよい。このようにすれば、ゴミや疵のほとんどないフィルムをスキャンする場合や出力画像のゴミや疵の補正を行う必要のない場合にフィルム３２の画像情報のゴミや疵の範囲を補正する画像情報処理を行わずに可視光によるフィルム３２の画像情報を得るための画像情報処理にかかる時間を短縮することができるという効果が得られる。
【００６６】
（第１実施例〜第３実施例の変形）
次に、第１実施例〜第３実施例の変形として写真用フィルムの画像情報を読取る場合の変形実施例を図１４〜１７図を用いて説明する。
【００６７】
図１４は露光量過多のネガ・フィルムの分光透過特性図、図１５は露光量不足のネガ・フィルムの分光透過特性図、図１６は露光量過多のポジ・フィルムの分光透過特性の説明図、図１７は露光量不足のポジ・フィルムの分光透過特性図である。
【００６８】
現像済みの写真用ネガ・フィルムは露光量過多で不透明にみえる、つまり可視光の透過率が低い状態であっても図１４に示されるように赤外光の透過率は高い。また、露光量不足で透明にみえる、つまり可視光の透過率の高い状態であっても図１５に示されるように赤外光の透過率はそれ以上に高く、かつその透過率は露光量過多であっても露光量不足であってもほとんど変わらない。また、同様に現像済みの写真用ポジ・フィルムにおいても露光量過多で透明にみえる、つまり可視光の透過率が高い状態であっても図１６に示されるように赤外光の透過率はそれ以上に高い。また、露光量不足で不透明にみえる、つまり可視光の透過率の低い状態であっても図１７に示されるように赤外光の透過率は高く、かつその透過率は露光量過多であっても露光量不足であってもほとんど変わらない。このため写真用フィルムの画像情報を読取る場合には、あらかじめ決められたモータの所定の駆動速度により赤外光によるスキャンを行うように構成してもよい。また、このとき第１、第２実施例の濃度センサや第３実施例のラフスキャンにより検出されるフィルムの濃度により決定される可視光によるスキャンを行うためのモータの駆動速度よりもあらかじめ決定された赤外光によるスキャンを行うためのモータの所定の駆動速度の方が大きく設定されている。
【００６９】
以上の説明により写真用フィルムの画像情報を読取る場合には容易に赤外光による画像情報の読取動作に要する読取動作時間を可視光による画像情報の読取動作に要する読取動作時間よりも短くすることができる。
【００７０】
【発明の効果】
以上説明したように、本発明によれば、原稿上のゴミや疵の影響の少ない画像を得ることができる。
【図面の簡単な説明】
【図１】  第１実施例のフィルムスキャナの要部斜視図
【図２】  図１に示されるフィルムスキャナの概要構成図
【図３】  図１に示されるフィルムスキャナの回路構成を示すブロック図
【図４】  図１に示されるフィルムスキャナの動作を示すフローチャート
【図５】  ラインセンサの分光感度特性図
【図６】  ランプの発光スペクトル強度分布図
【図７】  第２実施例の動作を示すフローチャート
【図８】  第３実施例のフィルムスキャナの要部斜視図
【図９】  図８に示されるフィルムスキャナの概要構成図
【図１０】  図８に示されるフィルムスキャナの回路構成を示すブロック図
【図１１】  図８に示されるフィルムスキャナの動作を示すフローチャート
【図１２】  物性素子の可視光および赤外光透過状態の分光透過特性図
【図１３】  物性素子の赤外光不透過状態の分光透過特性図
【図１４】  露光量過多のネガ・フィルムの分光透過特性図
【図１５】  露光量不足のネガ・フィルムの分光透過特性図
【図１６】  露光量過多のポジ・フィルムの分光透過特性図
【図１７】  露光量不足のポジ・フィルムの分光透過特性図
【図１８】  従来例のフィルムスキャナの要部斜視図
【図１９】  図１８に示されるフィルムスキャナの概要構成図
【図２０】  図１８に示されるフィルムスキャナの回路構成を示すブロック図
【符号の説明】
１  フィルムキャリッジ
２  フィルム
３  ランプ
６  ラインセンサ
【図１】
0003673652.tif 000002
【図２】
0003673652.tif 000003
【図３】
0003673652.tif 000004
【図４】
0003673652.tif 000005
【図５】
0003673652.tif 000006
【図６】
0003673652.tif 000007
【図７】
0003673652.tif 000008
【図８】
0003673652.tif 000009
【図９】
0003673652.tif 000010
【図１０】
0003673652.tif 000011
【図１１】
0003673652.tif 000012
【図１２】
0003673652.tif 000013
【図１３】
0003673652.tif 000014
【図１４】
0003673652.tif 000015
【図１５】
0003673652.tif 000016
【図１６】
0003673652.tif 000017
【図１７】
0003673652.tif 000018
【図１８】
0003673652.tif 000019
【図１９】
0003673652.tif 000020
【図２０】
0003673652.tif 000021